(57)【特許請求の範囲】
【請求項１】
拡大側から順に、負の屈折力を有する第１レンズ群と、正の屈折力を有する第２レンズ群と、正の屈折力を有する第３レンズ群とが配列され、
前記第１レンズ群は、最も拡大側に配された１枚の正レンズと、３枚または４枚の負レンズにより構成され、
前記第２レンズ群は、拡大側から順に、全体として正の屈折力の接合レンズからなる第２Ａレンズ群と、２枚のレンズからなる第２Ｂレンズ群よりなり、
前記第３レンズ群は、負レンズと正レンズを接合してなる接合レンズを２組、または正レンズと負レンズと正レンズを接合してなる３枚接合レンズを１組、含む５群レンズ構成とされ、
フォーカシングに際しては、前記第２Ａレンズ群および前記第２Ｂレンズ群が光軸方向に移動するように構成され、
絞りは、当該絞りより縮小側に位置する全てのレンズの合成前側焦点位置近傍に配置され、下記条件式（１）および（３）を満足することを特徴とする投写用広角レンズ。
０．９  ＜  （ＦＨ＋Ｄｓｔ）／ＦＧｒ  ＜  １．１          （１）
３．０  ＜  ＦＧ２／ｆｔ  ＜  ７．０          （３）
ここで、
ＦＨ：前記絞りよりも縮小側に位置するレンズ面のうち最も拡大側の面の位置と、この絞りよりも縮小側に位置する全レンズの前側主点位置との光軸上での距離
ＦＧｒ：前記絞りよりも縮小側に位置する全レンズの前側合成焦点距離
Ｄｓｔ：前記絞りと、この絞りよりも縮小側に位置するレンズ面のうち最も拡大側の面との光軸上での距離
ＦＧ２：前記第２レンズ群の焦点距離
ｆｔ：全レンズ系の焦点距離
【請求項２】
拡大側から順に、負の屈折力を有する第１レンズ群と、正の屈折力を有する第２レンズ群と、正の屈折力を有する第３レンズ群とが配列され、
前記第１レンズ群は、拡大側から順に、負レンズと、正レンズと、３枚の負レンズにより構成され、
前記第２レンズ群は、拡大側から順に、全体として負の屈折力の接合レンズからなる第２Ａレンズ群と、全体として正の屈折力の接合レンズからなる第２Ｂレンズ群よりなり、
前記第３レンズ群は、負レンズと正レンズを接合してなる２枚接合レンズを２組含む５群レンズ構成とされ、
フォーカシングに際しては、前記第２Ａレンズ群および前記第２Ｂレンズ群が光軸方向に移動するように構成され、
絞りは、当該絞りより縮小側に位置する全てのレンズの合成前側焦点位置近傍に配置され、下記条件式（１）を満足することを特徴とする投写用広角レンズ。
０．９  ＜  （ＦＨ＋Ｄｓｔ）／ＦＧｒ  ＜  １．１          （１）
ここで、
ＦＨ：前記絞りよりも縮小側に位置するレンズ面のうち最も拡大側の面の位置と、この絞りよりも縮小側に位置する全レンズの前側主点位置との光軸上での距離
ＦＧｒ：前記絞りよりも縮小側に位置する全レンズの前側合成焦点距離
Ｄｓｔ：前記絞りと、この絞りよりも縮小側に位置するレンズ面のうち最も拡大側の面との光軸上での距離
【請求項３】
下記条件式（２）を満足することを特徴とする請求項１または２記載の投写用広角レンズ。
−１．６  ＜  ＦＧ１／ｆｔ  ＜  −１．１          （２）
ここで、
ＦＧ１：前記第１レンズ群の焦点距離
ｆｔ：全レンズ系の焦点距離
【請求項４】
下記条件式（３）を満足することを特徴とする請求項２記載の投写用広角レンズ。
３．０  ＜  ＦＧ２／ｆｔ  ＜  ７．０          （３）
ここで、
ＦＧ２：前記第２レンズ群の焦点距離
ｆｔ：全レンズ系の焦点距離
【請求項５】
下記条件式（４）を満足することを特徴とする請求項１〜４のうちいずれか１項記載の投写用広角レンズ。
２．５  ＜  ＦＧ３／ｆｔ  ＜  ４．０          （４）
ここで、
ＦＧ３：前記第３レンズ群の焦点距離
ｆｔ：全レンズ系の焦点距離
【請求項６】
下記条件式（５）を満足することを特徴とする請求項１〜５のうちいずれか１項記載の投写用広角レンズ。
１２．５  ＜  ｄｔ/ｆｔ  ＜  １５．０          （５）
ここで、
ｄｔ：レンズ系全長
ｆｔ：全レンズ系の焦点距離
【請求項７】
前記第３レンズ群は、少なくとも７枚のレンズで構成されてなり、
少なくとも、縮小側に凹面を向けた負のメニスカスレンズおよび正レンズを拡大側からこの順に配し互いに接合してなる第１の接合レンズと、両凹レンズおよび正レンズを拡大側からこの順に配し互いに接合してなる第２の接合レンズと、両凸レンズとが拡大側からこの順に配されてなり、
前記第１および第２の接合レンズを構成する前記正レンズならびに前記両凸レンズのレンズ材料は、e線のアッベ数が、何れも８０以上とされていることを特徴とする請求項１記載の投写用広角レンズ。
【請求項８】
前記第３レンズ群は、少なくとも７枚のレンズで構成されてなり、
少なくとも、拡大側から順に、縮小側に凹面を向けた負のメニスカスレンズと、正レンズ、負レンズおよび正レンズをこの順に配し接合してなる３枚接合レンズと、両凸レンズとが配されてなり、
前記３枚接合レンズを構成する前記正レンズならびに前記両凸レンズのレンズ材料は、e線のアッベ数が、何れも８０以上とされていることを特徴とする請求項１記載の投写用広角レンズ。
【請求項９】
前記第２Ａレンズ群が下記条件式（６）を、かつ前記第２Ｂレンズ群が下記条件式（７）を満足してなり、
近距離側から遠距離側にフォーカシングする場合、前記第２Ａレンズ群は拡大側に移動し、前記第２Ｂレンズ群は該第２Ａレンズ群との間隔が増加するように移動することを特徴とする請求項１〜８のうちいずれか１項記載の投写用広角レンズ。
６．０＜｜ＦＧ２Ａ／ｆｔ｜＜１１．０          （６）
２．０＜｜ＦＧ２Ｂ／ｆｔ｜＜４５．０          （７）
ここで、
ＦＧ２Ａ：前記第２Ａレンズ群の焦点距離
ＦＧ２Ｂ：前記第２Ｂレンズ群の焦点距離
【請求項１０】
下記条件式（１´）を満足することを特徴とする請求項１〜９のうちいずれか１項記載の投写用広角レンズ。
０．９５  ＜  （ＦＨ＋Ｄｓｔ）／ＦＧｒ  ＜  １．０８          （１´）
【請求項１１】
下記条件式（１´´）を満足することを特徴とする請求項２記載の投写用広角レンズ。
０．９８  ＜  （ＦＨ＋Ｄｓｔ）／ＦＧｒ  ＜  １．０２          （１´´）
【請求項１２】
光源と、ライトバルブと、該光源からの光束を該ライトバルブへ導く照明光学部と、請求項１〜１１のうちいずれか１項記載の投写用広角レンズとを備え、該光源からの光束を該ライトバルブで光変調し、該投写用広角レンズによりスクリーンに投写することを特徴とする投写型表示装置。
【発明の詳細な説明】
【技術分野】
【０００１】
本発明は、プロジェクタ装置等の投写レンズとして用いられる投写用広角レンズに関し、特に、例えば、液晶表示素子や微小反射鏡画素表示素子により光変調された光束によって形成される原画像を、一旦、色合成系およびリレーレンズ系によりカラーの空中像を形成し、スクリーン上に拡大投写するのに適した投写用広角レンズおよびこれを搭載した投写型表示装置に関する。
【背景技術】
【０００２】
装置前方のスクリーン上に画像を投写する、いわゆるフロント投写型のプロジェクタ装置は、学校教育用や企業研修用、プレゼンテーション用等としてますます一般的に用いられるようになっている。さらに、このプロジェクタ市場の成熟に伴い、プロジェクタの多様性が増し、大画面の劇場用の大型プロジェクタから携帯電話用の超小型プロジェクタに到るまで各種タイプのものが用いられている。
【０００３】
ところで、大画面あるいは高解像への対応が要求されるプロジェクタ利用分野では、解像力が２K、４K、８Kと急激な高解像化が進んでいる。
【０００４】
またこのようなプロジェクタ利用分野においては、反射型液晶表示素子であるLCOS型画像表示素子を採用することにより、画素を比較的小さくすることができ、表示素子全体としてのサイズも小さくすることができることから、多用されている（例えば、特許文献１を参照）。
【先行技術文献】
【特許文献】
【０００５】
【特許文献１】特許第４１７７６３３号公報
【特許文献２】特許第２９８５９０６号公報
【特許文献３】特許第４１９６８１５号公報
【特許文献４】特表２００６−５２３３１８号公報
【特許文献５】特開２００９−１９９０２０号公報
【発明の概要】
【発明が解決しようとする課題】
【０００６】
ところで、上記LCOS型画像表示素子は一般に、光源からの光を入射するための領域と３色の信号光を合成する領域とを確保することが要求され、この領域が投写レンズと画像表示素子の間に配置されるために、投写レンズのバックフォーカスを長くする必要があった。
【０００７】
このようなバックフォーカスの長い投写レンズにおいて広角化を図ろうとすると、上記特許文献１のように、非球面を用いた構成とした場合であっても全長が極めて長いレンズとなってしまう。
【０００８】
なお、一般に、投写レンズとライトバルブの間にリレーレンズを配し、ライトバルブに表示された画像情報をリレーレンズによって、一旦、等倍に中間結像させ、その中間像を投写レンズにより拡大投写することによって、投写レンズを広角化する技術が知られている。上記特許文献２〜５にも、このような技術が開示されているが、このような場合における投写レンズの具体的な構成については、明確に記載されていないか、その効果が不十分なものとなっている。
【０００９】
本発明は、このような事情に鑑みなされたものであり、縮小側がテレセントリックとされ、非球面を用いることなく、フォーカシングの近距離側から遠距離側に到るまで光学性能を良好なものとすることができ、広角で明るく全長の短い投写用広角レンズ、および投写型表示装置を提供することを目的とする。
【課題を解決するための手段】
【００１０】
上記目的を達成するため本発明に係る第１の投写用広角レンズは、
拡大側から順に、負の屈折力を有する第１レンズ群と、正の屈折力を有する第２レンズ群と、正の屈折力を有する第３レンズ群とが配列され、
前記第１レンズ群は、最も拡大側に配された１枚の正レンズと、３枚または４枚の負レンズにより構成され、
前記第２レンズ群は、拡大側から順に、全体として正の屈折力の接合レンズからなる第２Ａレンズ群と、２枚のレンズからなる第２Ｂレンズ群よりなり、
前記第３レンズ群は、拡大側から順に、負レンズと正レンズを接合してなる接合レンズを２組、または正レンズと負レンズと正レンズを接合してなる３枚接合レンズを１組、含む５群レンズ構成とされ、
フォーカシングに際しては、前記第２Ａレンズ群および前記第２Ｂレンズ群が光軸方向に移動するように構成され、
絞りは、当該絞りより縮小側に位置する全てのレンズの合成前側焦点位置近傍に配置され、下記条件式（１）および（３）を満足することを特徴とするものである。
０．９  ＜  （ＦＨ＋Ｄｓｔ）／ＦＧｒ  ＜  １．１          （１）
３．０  ＜  ＦＧ２／ｆｔ  ＜  ７．０          （３）
ここで、
ＦＨ：前記絞りよりも縮小側に位置するレンズ面のうち最も拡大側の面の位置と、この絞りよりも縮小側に位置する全レンズの前側主点位置との光軸上での距離
ＦＧｒ：前記絞りよりも縮小側に位置する全レンズの前側合成焦点距離
Ｄｓｔ：前記絞りと、この絞りよりも縮小側に位置するレンズ面のうち最も拡大側の面との光軸上での距離
ＦＧ２：前記第２レンズ群の焦点距離
ｆｔ：全レンズ系の焦点距離
【００１１】
また、本発明に係る第２の投写用広角レンズは、
拡大側から順に、負の屈折力を有する第１レンズ群と、正の屈折力を有する第２レンズ群と、正の屈折力を有する第３レンズ群とが配列され、
前記第１レンズ群は、拡大側から順に、負レンズと、正レンズと、３枚の負レンズにより構成され、
前記第２レンズ群は、拡大側から順に、全体として負の屈折力の接合レンズからなる第２Ａレンズ群と、全体として正の屈折力の接合レンズからなる第２Ｂレンズ群よりなり、
前記第３レンズ群は、負レンズと正レンズを接合してなる２枚接合レンズを２組含む５群レンズ構成とされ、
フォーカシングに際しては、前記第２Ａレンズ群および前記第２Ｂレンズ群が光軸方向に移動するように構成され、
絞りは、当該絞りより縮小側に位置する全てのレンズの合成前側焦点位置近傍に配置され、下記条件式（１）を満足することを特徴とするものである。
０．９  ＜  （ＦＨ＋Ｄｓｔ）／ＦＧｒ  ＜  １．１          （１）
ここで、
ＦＨ：前記絞りよりも縮小側に位置するレンズ面のうち最も拡大側の面の位置と、この絞りよりも縮小側に位置する全レンズの前側主点位置との光軸上での距離
ＦＧｒ：前記絞りよりも縮小側に位置する全レンズの前側合成焦点距離
Ｄｓｔ：前記絞りと、この絞りよりも縮小側に位置するレンズ面のうち最も拡大側の面との光軸上での距離
【００１２】
また、本発明に係る第１および第２の投写用広角レンズにおいて、下記条件式（２）を満足することが好ましい。
−１．６  ＜  ＦＧ１／ｆｔ  ＜  −１．１          （２）
ここで、
ＦＧ１：前記第１レンズ群の焦点距離
ｆｔ：全レンズ系の焦点距離
【００１３】
また、本発明に係る第２の投写用広角レンズにおいて、下記条件式（３）を満足することが好ましい。
３．０  ＜  ＦＧ２／ｆｔ  ＜  ７．０          （３）
ここで、
ＦＧ２：前記第２レンズ群の焦点距離
ｆｔ：全レンズ系の焦点距離
【００１４】
また、本発明に係る第１および第２の投写用広角レンズにおいて、下記条件式（４）を満足することが好ましい。
２．５  ＜  ＦＧ３／ｆｔ  ＜  ４．０          （４）
ここで、
ＦＧ３：前記第３レンズ群の焦点距離
ｆｔ：全レンズ系の焦点距離
【００１５】
また、本発明に係る第１および第２の投写用広角レンズにおいて、下記条件式（５）を満足することが好ましい。
１２．５  ＜  ｄｔ/ｆｔ  ＜  １５．０          （５）
ここで、
ｄｔ：レンズ系全長
ｆｔ：全レンズ系の焦点距離
【００１６】
また、前記第３レンズ群は、少なくとも７枚のレンズで構成されてなり、
少なくとも、縮小側に凹面を向けた負のメニスカスレンズおよび正レンズを拡大側からこの順に配し互いに接合してなる第１の接合レンズと、両凹レンズおよび正レンズを拡大側からこの順に配し互いに接合してなる第２の接合レンズと、両凸レンズとが拡大側からこの順に配されてなり、
前記第１および第２の接合レンズを構成する前記正レンズならびに前記両凸レンズのレンズ材料は、e線のアッベ数が、何れも８０以上とされていることが好ましい。
【００１７】
また、前記第３レンズ群は、少なくとも７枚のレンズで構成されてなり、
少なくとも、縮小側に凹面を向けた負のメニスカスレンズ、正レンズおよび負レンズをこの順に配し接合してなる３枚接合レンズと、両凸レンズとが拡大側からこの順に配されてなり、
前記３枚接合レンズを構成する前記正レンズならびに前記両凸レンズのレンズ材料は、e線のアッベ数が、何れも８０以上とされていることが好ましい。
【００１８】
また、前記第２Ａレンズ群が下記条件式（６）を、かつ前記第２Ｂレンズ群が下記条件式（７）を満足してなり、
近距離側から遠距離側にフォーカシングする場合、前記第２Ａレンズ群は拡大側に移動し、前記第２Ｂレンズ群は該第２Ａレンズ群との間隔が増加するように移動することが好ましい。
６．０＜｜ＦＧ２Ａ／ｆｔ｜＜１１．０          （６）
２．０＜｜ＦＧ２Ｂ／ｆｔ｜＜４５．０          （７）
ここで、
ＦＧ２Ａ：前記第２Ａレンズ群の焦点距離
ＦＧ２Ｂ：前記第２Ｂレンズ群の焦点距離
なお本発明に係る第１および第２の投写用広角レンズにおいて、前記条件式（１）が数値範囲を規定している（ＦＨ＋Ｄｓｔ）／ＦＧｒの値について、より好ましくは下記条件式（１´）を、さらに好ましくは下記条件式（１´´）
０．９５  ＜  （ＦＨ＋Ｄｓｔ）／ＦＧｒ  ＜  １．０８          （１´）
０．９８  ＜  （ＦＨ＋Ｄｓｔ）／ＦＧｒ  ＜  １．０２          （１´´）
を満足することが望ましい。
【００１９】
また、本発明に係る投写型表示装置は、光源と、ライトバルブと、該光源からの光束を該ライトバルブへ導く照明光学部と、上述したいずれかの投写用広角レンズとを備え、該光源からの光束を該ライトバルブで光変調し、該投写用広角レンズによりスクリーンに投写することを特徴とするものである。
【００２０】
なお、上記「拡大側」とは、被投写側（スクリーン側）を意味し、縮小投影する場合も、便宜的にスクリーン側を拡大側と称するものとする。一方、上記「縮小側」とは、原画像表示領域側（ライトバルブ側）を意味し、縮小投影する場合も、便宜的にライトバルブ側を縮小側と称するものとする。
また、「絞り」にはマスク（開口）も含めるものとする。
【発明の効果】
【００２１】
上記目的を達成するため、本発明の第１および第２の投写用広角レンズは、拡大側から順に、負の屈折力を有する第１レンズ群と、正の屈折力を有する第２レンズ群と、正の屈折力を有する第３レンズ群とが配列され、各レンズ群は上述した特有の構成とされていることから、非球面を用いることなく、広角で明るく全長の短い投写用広角レンズを得ることができる。特に、本発明の第１および第２の投写用広角レンズにおいては、投写レンズのライトバルブ側にリレーレンズを配置することも想定しており、リレーレンズによる中間結像面に結像された像を最終結像面に拡大投影することが可能となるような構成としているから、投写用広角レンズのバックフォーカスを短くすることが可能となっており、投写用広角レンズの全長を短縮化することが可能である。
【００２２】
また、フォーカシングに際しては、互いに特有の構成を有する、第２Ａレンズ群と第２Ｂレンズ群を光軸方向に移動させて行うようにしているから、フォーカシングの近距離側から遠距離側に到るまで光学性能を良好なものとすることができる。
【００２３】
また、本発明の第１および第２の投写用広角レンズでは、上記条件式（１）を満足するように設定されており、絞りが、この絞りよりも縮小側に位置する全レンズの前側焦点位置の付近に配されていることから、縮小側がテレセントリックに近い状態に設定されている。また、このような構成とすることにより、上記リレーレンズと組み合わせた場合において、これら両レンズの瞳をテレセントリック系として一致させることができ、これら両レンズ系の間でケラレによる光量ダウンを最小とすることができる。
【図面の簡単な説明】
【００２４】
【図１】実施例１に係る投写用広角レンズの詳細な構成図である。
【図２】実施例１に係る投写用広角レンズに入射した光線の軌跡を示す図である。
【図３】実施例２に係る投写用広角レンズの詳細な構成図である。
【図４】実施例２に係る投写用広角レンズに入射した光線の軌跡を示す図である。
【図５】実施例３に係る投写用広角レンズの詳細な構成図である。
【図６】実施例３に係る投写用広角レンズに入射した光線の軌跡を示す図である。
【図７】実施例４に係る投写用広角レンズの詳細な構成図である。
【図８】実施例４に係る投写用広角レンズに入射した光線の軌跡を示す図である。
【図９】実施例１に係る投写用広角レンズの諸収差図（投影距離1.17mにおける収差図（球面収差（A‐ｉ）、非点収差（A‐ｉｉ）、ディストーション（A‐ｉｉｉ）および倍率色収差（A‐ｉｖ））、投影距離2.34mにおける収差図（球面収差（B‐ｉ）、非点収差（B‐ｉｉ）、ディストーション（B‐ｉｉｉ）および倍率色収差（B‐ｉｖ））、投影距離11.7mにおける収差図（球面収差（C‐ｉ）、非点収差（C‐ｉｉ）、ディストーション（C‐ｉｉｉ）および倍率色収差（C‐ｉｖ）））である。
【図１０】実施例２に係る投写用広角レンズの諸収差図（投影距離1.17mにおける収差図（球面収差（A‐ｉ）、非点収差（A‐ｉｉ）、ディストーション（A‐ｉｉｉ）および倍率色収差（A‐ｉｖ））、投影距離2.34mにおける収差図（球面収差（B‐ｉ）、非点収差（B‐ｉｉ）、ディストーション（B‐ｉｉｉ）および倍率色収差（B‐ｉｖ））、投影距離11.7mにおける収差図（球面収差（C‐ｉ）、非点収差（C‐ｉｉ）、ディストーション（C‐ｉｉｉ）および倍率色収差（C‐ｉｖ）））である。
【図１１】実施例３に係る投写用広角レンズの諸収差図（投影距離1.17mにおける収差図（球面収差（A‐ｉ）、非点収差（A‐ｉｉ）、ディストーション（A‐ｉｉｉ）および倍率色収差（A‐ｉｖ））、投影距離2.34mにおける収差図（球面収差（B‐ｉ）、非点収差（B‐ｉｉ）、ディストーション（B‐ｉｉｉ）および倍率色収差（B‐ｉｖ））、投影距離11.7mにおける収差図（球面収差（C‐ｉ）、非点収差（C‐ｉｉ）、ディストーション（C‐ｉｉｉ）および倍率色収差（C‐ｉｖ）））である。
【図１２】実施例４に係る投写用広角レンズの諸収差図（投影距離1.12mにおける収差図（球面収差（A‐ｉ）、非点収差（A‐ｉｉ）、ディストーション（A‐ｉｉｉ）および倍率色収差（A‐ｉｖ））、投影距離2.35mにおける収差図（球面収差（B‐ｉ）、非点収差（B‐ｉｉ）、ディストーション（B‐ｉｉｉ）および倍率色収差（B‐ｉｖ））、投影距離12.2mにおける収差図（球面収差（C‐ｉ）、非点収差（C‐ｉｉ）、ディストーション（C‐ｉｉｉ）および倍率色収差（C‐ｉｖ）））である。
【図１３】条件式（１）を説明するための図面である。
【図１４】本発明の一実施形態に係る投写型表示装置の概略構成図である。
【図１５】本発明の他の実施形態に係る投写型表示装置の概略構成図である。
【発明を実施するための形態】
【００２５】
以下、本発明の実施形態について図面を用いて説明する。図１は後述する実施例１のレンズ構成図であり、このレンズを第１の実施形態の代表として、以下に説明する。
また、図７は後述する実施例４のレンズ構成図であり、このレンズを第２の実施形態の代表として、以下に説明する。
なお、図中Ｚは光軸を表している。
【００２６】
＜第１の実施形態＞
第１の実施形態の投写用広角レンズは、図１、３、５に示す実施例１〜３を含む態様であり、拡大側（スクリーン側）から順に、負の屈折力を有する第１レンズ群Ｇ１と、正の屈折力を有する第２レンズ群Ｇ２と、正の屈折力を有する第３レンズ群Ｇ３とから構成されている。
【００２７】
ここで、第１レンズ群Ｇ１は、最も拡大側に配された１枚の正レンズ（第１レンズＬ１）と、３枚または４枚の負レンズ（下記実施例１では第２レンズＬ２〜第５レンズＬ５、下記実施例２、３では第２レンズＬ２〜第４レンズＬ４）により構成されている。
【００２８】
また、第２レンズ群Ｇ２は、拡大側から順に、全体として正の屈折力の接合レンズからなる第２Ａレンズ群Ｇ２Ａ（下記実施例１では第６レンズＬ６と第７レンズＬ７、下記実施例２、３では第５レンズＬ５と第６レンズＬ６）と、２枚レンズ構成の第２Ｂレンズ群Ｇ２Ｂ（下記実施例１では第８レンズＬ８と第９レンズＬ９、下記実施例２、３では第７レンズＬ７と第８レンズＬ８）とにより構成されている。
【００２９】
また、第３レンズ群Ｇ３は、第１の態様では（下記実施例１、２）、拡大側から順に、負レンズと正レンズを接合してなる２枚接合レンズを、２組含む（下記実施例１では第１１レンズＬ１１と第１２レンズＬ１２、および第１３レンズＬ１３と第１４レンズＬ１４、下記実施例２では第１０レンズＬ１０と第１１レンズＬ１１、および第１２レンズＬ１２と第１３レンズＬ１３）５群レンズ（下記実施例１では第１０レンズＬ１０〜第１６レンズＬ１６、下記実施例２では第９レンズＬ９〜第１５レンズＬ１５）により構成されている。第３レンズ群Ｇ３は、さらに好ましくは、少なくとも７枚のレンズで構成されてなり、少なくとも、縮小側に凹面を向けた負のメニスカスレンズ（下記実施例１では第１１レンズＬ１１、下記実施例２では第１０レンズＬ１０）および正レンズ（下記実施例１では第１２レンズＬ１２、下記実施例２では第１１レンズＬ１１）をこの順に配し互いに接合してなる第１の接合レンズと、両凹レンズ（下記実施例１では第１３レンズＬ１３、下記実施例２では第１２レンズＬ１２）および正レンズ（下記実施例１では第１４レンズＬ１４、下記実施例２では第１３レンズＬ１３）をこの順に配し互いに接合してなる第２の接合レンズと、両凸レンズ（下記実施例１では第１５レンズＬ１５、下記実施例２では第１４レンズＬ１４）とが拡大側からこの順に配されてなり、かつ、上記第１および第２の接合レンズを構成する前記正レンズ（下記実施例１では第１２レンズＬ１２および第１４レンズＬ１４、下記実施例２では第１１レンズＬ１１および第１３レンズＬ１３）ならびに上記両凸レンズ（下記実施例１では第１５レンズＬ１５、下記実施例２では第１４レンズＬ１４）のレンズ材料は、e線のアッベ数が、何れも８０以上とされてなる。
【００３０】
また、第３レンズ群Ｇ３は、第２の態様では（下記実施例３）、拡大側から順に、正レンズと負レンズと正レンズをこの順に接合してなる正の３枚接合レンズ（下記実施例３では第１１レンズＬ１１、第１２レンズＬ１２および第１３レンズＬ１３）を含む５群レンズ（下記実施例３では第９レンズＬ９〜第１５レンズＬ１５）により構成されている。第３レンズ群Ｇ３は、さらに好ましくは、少なくとも７枚のレンズで構成されてなり、少なくとも、両凸レンズ（下記実施例３では第１１レンズＬ１１）、両凹レンズ（下記実施例３では第１２レンズＬ１２）および両凸レンズ（下記実施例３では第１３レンズＬ１３）をこの順に配し接合してなる３枚接合レンズと、両凸レンズ（下記実施例３では第１４レンズＬ１４）とが拡大側からこの順に配されてなり、かつ、上記３枚接合レンズを構成する正レンズ（下記実施例３では第１２レンズＬ１２）ならびに前記両凸レンズ（下記実施例３では第１４レンズＬ１４）のレンズ材料は、e線のアッベ数が、何れも８０以上とされてなる。
【００３１】
また、絞り（一部または全部をマスクとすることも可）２ａ、２ｂは、当該絞り２ａ、２ｂより縮小側に位置するレンズ（下記実施例１では第１０レンズＬ１０〜第１６レンズＬ１６、下記実施例２、３では第９レンズＬ９〜第１５レンズＬ１５）の合成前側焦点位置近傍に配置されている。
【００３２】
また、フォーカシングに際しては、第２Ａレンズ群Ｇ２Ａおよび第２Ｂレンズ群Ｇ２Ｂの両者を光軸方向に移動させるように構成されている（下記実施例１〜３では、近距離側から遠距離側に向かうにしたがって両者の間隔が互いに広がるように移動するよう構成されている）。
【００３３】
また、本実施形態の投写用広角レンズは、縮小側に配置された、ライトバルブ（反射型液晶表示板（ＬＣＯＳ型）、透過型液晶表示板あるいはＤＭＤ等）の画像表示面１において画像情報を与えられた光束が、縮小側（図中右側）より入射され、当該投写用広角レンズにより、拡大側（図中左側）に配置されたスクリーン上に拡大投写するようになっている。また、本実施形態の投写用広角レンズは、例えば、図示されないリレーレンズを介して入射される光学系においても好適に用いられるものである。この場合には、画像表示面１の位置に中間結像面（仮想面）が配されることになる。
【００３４】
このようにすれば、クロスダイクロイックプリズム等の色合成光学系等が、この中間結像面の光源側（図面右側）に配されたリレーレンズよりも、さらに光源側に設置されることになるので、本投写用広角レンズと中間結像面との間のスペースを短縮することが可能となり、投写用広角レンズのレンズ全長の短縮化を図ることができる。
【００３５】
また、本実施形態の投写用広角レンズは、縮小側がテレセントリックに近い状態とされている。すなわち、本実施形態の投写用広角レンズでは、下記条件式（１）を満足するように構成されている。
０．９  ＜  （ＦＨ＋Ｄｓｔ）／ＦＧｒ  ＜  １．１          （１）
ここで、
ＦＨ：絞り２ｂよりも縮小側に位置するレンズ面のうち最も拡大側の面の位置と、この絞り２ｂよりも縮小側に位置する全レンズ（第３レンズ群Ｇ３の全部または一部）の前側主点位置との光軸上での距離
ＦＧｒ：絞り２ｂよりも縮小側に位置する全レンズ（第３レンズ群Ｇ３の全部または一部）の前側合成焦点距離
Ｄｓｔ：絞り２ｂと、この絞り２ｂよりも縮小側に位置するレンズ面のうち最も拡大側の面との光軸上での距離
【００３６】
この条件式（１）は、（ＦＨ＋Ｄｓｔ）とＦＧｒとの比を規定するものである。すなわち、図１３に示すように、ＦＨ＋Ｄｓｔは、絞りから、絞りよりも縮小側の全レンズの前側主点位置（主平面位置）Ｈまでの距離を表し、一方、ＦＧｒは、絞りと、絞りよりも縮小側の全レンズ（第３レンズ群Ｇ３の全部または一部のレンズに相当する：以下同じ）の前側合成焦点位置との距離を表すものである。したがって、条件式（１）の意味するところは、絞りが、絞りよりも縮小側に位置する全レンズの前側合成焦点位置の付近に配されるということであり、この前側焦点位置と絞り位置とが一致した時に、縮小側がテレセントリックな状態となることから、条件式（１）の範囲に設定されることにより、縮小側がテレセントリックに近い状態とされていることになる。
【００３７】
このように、上記条件式（１）を満足することで、縮小側のテレセントリック性を得ることができ、また、リレー系との光束のマッチングが取れ、光束のケラレが大きく生じるのを抑制することが可能となる。
【００３８】
すなわち、この条件式（１）の上限を上回ったり、下限を下回ったりすると、テレセントリック性が得られなくなったり、リレー系との光束のマッチングが取れず光束のケラレが大きく生じることとなる。
【００３９】
なお、このような鑑点から、上記条件式（１）に替えて、下記条件式（１´）を満足することが好ましく、下記条件式（１´´）を満足することがさらに好ましい。
０．９５  ＜  （ＦＨ＋Ｄｓｔ）／ＦＧｒ  ＜  １．０８          （１´）
０．９８  ＜  （ＦＨ＋Ｄｓｔ）／ＦＧｒ  ＜  １．０２          （１´´）
【００４０】
また、本実施形態の投写用広角レンズは、条件式（２）〜（５）の少なくともいずれか１つの式を満足することが好ましい。
−１．６  ＜  ＦＧ１／ｆｔ  ＜  −１．１      （２）
３．０  ＜  ＦＧ２／ｆｔ  ＜  ７．０          （３）
２．５  ＜  ＦＧ３／ｆｔ  ＜  ４．０          （４）
１２．５  ＜  ｄｔ/ｆｔ  ＜  １５．０        （５）
ここで、
ＦＧ１：第１レンズ群Ｇ１の焦点距離
ＦＧ２：第２レンズ群Ｇ２の焦点距離
ＦＧ３：第３レンズ群Ｇ３の焦点距離
ｄｔ：レンズ系全長
ｆｔ：レンズ全系の焦点距離
【００４１】
上記条件式（２）は、第１レンズ群Ｇ１のパワーを規定するもので、この範囲を外れると、レンズ系全体のバランスが崩れ、収差補正が困難になり、前玉径が大きくなる。すなわち、画角が７０度を超える広角レンズにおいては、前玉の外径をできるだけ小さくするために、第１レンズ群Ｇ１は強い負の屈折力を持たせるようにする必要があるが、歪曲収差と倍率色収差を良好に補正するために１枚の正レンズを含む、拡大側から正、負、負、負、負の５枚レンズ構成とするとともに、この条件式（２）を満足するようにして収差補正のバランスを良好なものとすることが肝要である。
【００４２】
なお、このような鑑点から、上記条件式（２）に替えて、下記条件式（２´）を満足することが好ましく、下記条件式（２´´）を満足することがさらに好ましい。
−１．５８  ＜  ＦＧ１／ｆｔ  ＜  −１．１５          （２´）
−１．５５  ＜  ＦＧ１／ｆｔ  ＜  −１．２０          （２´´）
【００４３】
上記条件式（３）は、第２レンズ群Ｇ２のパワーを規定するもので、この範囲を外れると、レンズ系全体のバランスが崩れ、収差補正が困難になり、特に第２レンズ群Ｇ２内でインナーフォーカスを行うことが困難となる。なお、第２レンズ群Ｇ２と第３レンズ群Ｇ３は、ともに正のパワーを有するが、この第２レンズ群Ｇ２においては、フォーカシングを効果的かつ良好に行うため、第３レンズ群Ｇ３に比してパワーを小さく設定している。
【００４４】
なお、このような鑑点から、上記条件式（３）に替えて、下記条件式（３´）を満足することが好ましく、下記条件式（３´´）を満足することがさらに好ましい。
３．２  ＜  ＦＧ２／ｆｔ  ＜  ６．８          （３´）
３．５  ＜  ＦＧ２／ｆｔ  ＜  ６．６          （３´´）
【００４５】
上記条件式（４）は、第３レンズ群Ｇ３のパワーを規定するものであり、この範囲を外れると、縮小側のテレセントリック性を維持したまま収差補正を行うことが困難となる。
【００４６】
なお、このような鑑点から、上記条件式（４）に替えて、下記条件式（４´）を満足することが好ましく、下記条件式（４´´）を満足することがさらに好ましい。
２．７  ＜  ＦＧ３／ｆｔ  ＜  ３．８          （４´）
２．８  ＜  ＦＧ３／ｆｔ  ＜  ３．７          （４´´）
【００４７】
上記条件式（５）は、レンズ系の全長を規定するものであり、この条件式（５）を満足する範囲内で、上記条件式（２）、（３）、（４）の数値が規定されることになる。すなわち、この条件式（５）の上限値を超えて全長を長くすると、上記（２）〜（４）の上限値も大きくなってしまう。
【００４８】
なお、このような鑑点から、上記条件式（５）に替えて、下記条件式（５´）を満足することが好ましく、下記条件式（５´´）を満足することがさらに好ましい。
１３．０  ＜  ｄｔ/ｆｔ  ＜  １４．６          （５´）
１３．２  ＜  ｄｔ/ｆｔ  ＜  １４．２          （５´´）
【００４９】
また、本実施形態の投写用広角レンズは、下記条件を満足することが好ましい。
【００５０】
すなわち、第２Ａレンズ群Ｇ２Ａが下記条件式（６）を、かつ、第２Ｂレンズ群Ｇ２Ｂが下記条件式（７）を満足してなり、近距離側から遠距離側にフォーカシングする場合、前記第２Ａレンズ群Ｇ２Ａは拡大側に移動し、第２Ｂレンズ群Ｇ２Ｂは該第２Ａレンズ群Ｇ２Ａとの間隔が増加するように移動することが好ましい。
６．０＜｜ＦＧ２Ａ／ｆｔ｜＜１１．０          （６）
２．０＜｜ＦＧ２Ｂ／ｆｔ｜＜４５．０          （７）
ここで、
ＦＧ２Ａ：第２Ａレンズ群Ｇ２Ａの焦点距離
ＦＧ２Ｂ：第２Ｂレンズ群Ｇ２Ｂの焦点距離
ｆｔ：レンズ全系の焦点距離
【００５１】
上記条件式（６）および条件式（７）は、フォーカシングの全範囲に亘る光学性能の維持とレンズ全長の短縮化という２つの課題を適切に解決するために設けられたものであり、これらの範囲を外れると、良好にフォーカシングを行いつつ、レンズ全長を短縮化することが困難となる。したがって、条件式（６）および条件式（７）を満足することの前提として、条件式（５）を満足することが好ましい。
【００５２】
なお、このような鑑点から、上記条件式（６）、（７）に替えて、下記条件式（６´）、（７´）を満足することが、より好ましい。
５．０＜｜ＦＧ２Ａ／ｆｔ｜＜１０．０          （６´）
２．８＜｜ＦＧ２Ｂ／ｆｔ｜＜４４．０          （７´）
【００５３】
＜第２の実施形態＞
第２の実施形態の投写用広角レンズは、図７に示す実施例４に代表される態様であり、拡大側（スクリーン側）から順に、負の屈折力を有する第１レンズ群Ｇ１と、正の屈折力を有する第２レンズ群Ｇ２と、正の屈折力を有する第３レンズ群Ｇ３とから構成されている。
【００５４】
ここで、第１レンズ群Ｇ１は、最も拡大側から順に、１枚の負レンズ（第１レンズＬ１）と、１枚の正レンズ（第２レンズＬ２）と、３枚の負レンズ（下記実施例４では第３レンズＬ３〜第５レンズＬ５）により構成されている。
【００５５】
また、第２レンズ群Ｇ２は、拡大側から順に、全体として負の屈折力の接合レンズからなる第２Ａレンズ群Ｇ２Ａ（下記実施例４では第６レンズＬ６と第７レンズＬ７）と、全体として正の屈折力の接合レンズからなる第２Ｂレンズ群Ｇ２Ｂ（下記実施例４では第８レンズＬ８と第９レンズＬ９）とにより構成されている。
【００５６】
また、第３レンズ群Ｇ３は、図７に示すように、少なくとも、拡大側から順に、負レンズと正レンズを接合してなる接合レンズを、２組配置し（下記実施例４では第１２レンズＬ１２と第１３レンズＬ１３、および第１４レンズＬ１４と第１５レンズＬ１５）、さらに両凸レンズを配置してなる５群レンズ（下記実施例４では第１０レンズＬ１０〜第１６レンズＬ１６）により構成されている。第３レンズ群Ｇ３は、さらに好ましくは、少なくとも７枚のレンズで構成されてなり、少なくとも、縮小側に凹面を向けた負のメニスカスレンズ（下記実施例４では第１２レンズＬ１２）および正レンズ（下記実施例４では第１３レンズＬ１３）を、拡大側からこの順に配し互いに接合してなる第１の接合レンズと、両凹レンズ（下記実施例４では第１４レンズＬ１４）および正レンズ（下記実施例４では第１５レンズＬ１５）を、拡大側からこの順に配し互いに接合してなる第２の接合レンズと、両凸レンズ（下記実施例４では第１６レンズＬ１６）とが拡大側からこの順に配されてなり、かつ、上記第１および第２の接合レンズを構成する前記正レンズ（下記実施例４では第１３レンズＬ１３および第１５レンズＬ１５）ならびに上記両凸レンズ（下記実施例４では第１６レンズＬ１６）のレンズ材料は、e線のアッベ数が、何れも８０以上とされ、これにより色収差および非点収差を良好なものとすることができる。
【００５７】
また、絞り（一部または全部をマスクとすることも可）２ａ、２ｂ、２ｃは、当該絞り２ａ、２ｂ、２ｃより縮小側に位置するレンズ（下記実施例４では第１１レンズＬ１１〜第１６レンズＬ１６）の合成前側焦点位置近傍に配置されている。
【００５８】
また、フォーカシングに際しては、第２Ａレンズ群Ｇ２Ａおよび第２Ｂレンズ群Ｇ２Ｂの両者を光軸方向に移動させるように構成されている（下記実施例４では、近距離側から遠距離側に向かうにしたがって、第２Ａレンズ群Ｇ２Ａが拡大側に移動するように、かつ両レンズ群Ｇ２Ａ、Ｇ２Ｂの間隔が互いに広がるように移動するよう構成されている）。
【００５９】
また、本実施形態の投写用広角レンズは、縮小側に配置された、ライトバルブ（反射型液晶表示板（ＬＣＯＳ型）、透過型液晶表示板あるいはＤＭＤ等）の画像表示面１において画像情報を与えられた光束が、縮小側（図中右側）より入射され、当該投写用広角レンズにより、拡大側（図中左側）に配置されたスクリーン上に拡大投写するようになっている。また、本実施形態の投写用広角レンズは、例えば、図示されないリレーレンズを介して入射される光学系において好適に用いられるものである。この場合には、画像表示面１の位置に中間結像面（仮想面）が配されることになる。
【００６０】
このようにすれば、クロスダイクロイックプリズム等の色合成光学系等が、この中間結像面の光源側（図面右側）に配されたリレーレンズよりも、さらに光源側に設置されることになるので、本投写用広角レンズと中間結像面との間のスペースを短縮することが可能となる。
【００６１】
また、本実施形態の投写用広角レンズは、縮小側がテレセントリックに近い状態とされている。すなわち、本実施形態の投写用広角レンズでは、下記条件式（１）を満足するように構成されている。
０．９  ＜  （ＦＨ＋Ｄｓｔ）／ＦＧｒ  ＜  １．１          （１）
ここで、
ＦＨ：絞り２ｂよりも縮小側に位置するレンズ面のうち最も拡大側の面の位置と、この絞り２ｂよりも縮小側に位置する全レンズ（第３レンズ群Ｇ３の全部または一部）の前側主点位置との光軸上での距離
ＦＧｒ：絞り２ｂよりも縮小側に位置する全レンズ（第３レンズ群Ｇ３の全部または一部）の前側合成焦点距離
Ｄｓｔ：絞り２ｂと、この絞り２ｂよりも縮小側に位置するレンズ面のうち最も拡大側の面との光軸上での距離
【００６２】
この条件式（１）の意義は、上記第１の実施形態と同様である。
【００６３】
また、本実施形態の投写用広角レンズは、上記第１の実施形態と同様に条件式（２）〜（５）の少なくともいずれかを満足することが好ましく、さらに、上記第１の実施形態と同様に第２Ａレンズ群Ｇ２Ａが上記条件式（６）を、かつ、第２Ｂレンズ群Ｇ２Ｂが上記条件式（７）を満足してなり、近距離側から遠距離側にフォーカシングする場合、前記第２Ａレンズ群Ｇ２Ａは拡大側に移動し、第２Ｂレンズ群Ｇ２Ｂは該第２Ａレンズ群Ｇ２Ａとの間隔が増加するように移動することが好ましい。なお、各条件式（２）〜（７）の意義についても、上記第１の実施形態と同様である。また、条件式（２）〜（７）よりも好ましい条件式（２´）〜（７´）、および、さらに好ましい条件式（２´´）〜（７´´）についても上記第１の実施形態のものと同様である。
【００６４】
＜投写型表示装置＞
次に、本発明に係る投写型表示装置の第１および第２の実施形態を、図１４および図１５を参照しながら説明する。
【００６５】
図１４に示すように、第１の実施形態に係る投写型表示装置は、各色光に対応した反射型液晶表示パネル１１ａ〜１１ｃと、色分解のためのダイクロイックミラー１２，１３と、色合成のためのクロスダイクロイックプリズム１４と、全反射ミラー１８と、偏光分離プリズム１５ａ〜１５ｃを有する照明光学系１０を備えている。ダイクロイックミラー１２の前段には、図示を省略された光源が配されており、この光源からの白色光が、３つの色光光束（Ｇ光、Ｂ光、Ｒ光）にそれぞれ対応する液晶表示パネル１１ａ〜１１ｃに入射されて光変調され、上述の実施形態に係る投写用広角レンズ２０により、図示されないスクリーンに投写される。なお、クロスダイクロイックプリズム１４と投写用広角レンズ２０との間には、等倍リレーレンズ１９が配されており、この等倍リレーレンズ１９によって中間結像面（仮想面）１Ａ上に、反射型液晶表示パネル１１ａ〜１１ｃに表示された合成カラー画像が結像し、この像を上記投写用広角レンズ２０によりスクリーン上に再結像することになる。
【００６６】
また、図１５に示すように、第２の実施形態に係る投写型表示装置は、全反射プリズム２５と、ＤＭＤ（微小反射ミラー素子）２１Ｇ、Ｂ、Ｒ（簡便のため３つの色光光束（Ｇ光、Ｂ光、Ｒ光）にそれぞれ対応するＤＭＤ２１Ｇ、Ｂ、Ｒのうち２１Ｇのみが示されている）と、色分解／合成プリズム２４を有する照明光学系１０Ａを備えている。全反射プリズム２５の前段には、図示を省略された光源が配されており、この光源からの白色光が、全反射プリズム２５により全反射され、色分解／合成プリズム２４により３色光に分解され、３色光光束（Ｇ光、Ｂ光、Ｒ光）にそれぞれ対応するＤＭＤ２１Ｇ、Ｂ、Ｒに入射されて光変調され、色分解／合成プリズム２４により合成され、上述の実施形態に係る投写用広角レンズ２０により、図示されないスクリーンに投写される。なお、全反射プリズム２５と投写用広角レンズ２０との間には、等倍リレーレンズ１９が配されており、この等倍リレーレンズ１９によって中間結像面（仮想面）１Ａ上に、ＤＭＤ２１Ｇ、Ｂ、Ｒに表示された合成カラー画像が結像し、この像を上記投写用広角レンズ２０によりスクリーン上に再結像することになる。
【００６７】
以下、本発明に係る投写用広角レンズの具体的な実施例について説明する。なお、実施例２〜４の構成を示す図３〜８において、実施例１と同様の作用効果をなす部材には、図１、２で用いたものと同一の符号を付している。
【００６８】
＜実施例１＞
図１（レンズ構成図）および図２（光線軌跡図）に示すように、実施例１に係る投写用広角レンズは、拡大側から順に、負の屈折力を有する第１レンズ群Ｇ１と、正の屈折力を有する第２レンズ群Ｇ２と、正の屈折力を有する第３レンズ群Ｇ３とから構成されており、縮小側がテレセントリックとされており、第３レンズ群Ｇ３の縮小側には、反射型液晶表示パネル等からなるライトバルブの画像表示面（または中間結像面）１が配置されている。なお、第２レンズ群Ｇ２は、拡大側から順に、全体として正の屈折力の第２Ａレンズ群Ｇ２Ａと、全体として正の屈折力の第２Ｂレンズ群Ｇ２Ｂとにより構成されている。
【００６９】
上記第１レンズ群Ｇ１は、拡大側より順に、縮小側に凹面を向けた正のメニスカスレンズよりなる第１レンズＬ１と、縮小側に凹面を向けた負のメニスカスレンズよりなる第２レンズＬ２、第３レンズＬ３および第４レンズＬ４と、両凹レンズよりなる第５レンズＬ５とから構成されている。
【００７０】
上記第２レンズ群Ｇ２は、拡大側より順に、両凹レンズよりなる第６レンズＬ６および両凸レンズよりなる第７レンズＬ７が互いに接合された接合レンズと、両凸レンズよりなる第８レンズＬ８と、縮小側に凹面を向けた負のメニスカスレンズよりなる第９レンズＬ９とから構成されている。また、ここで、全体として正の屈折力の上記接合レンズにより第２Ａレンズ群Ｇ２Ａが構成され、全体として正の屈折力の、２枚の単レンズにより第２Ｂレンズ群Ｇ２Ｂが構成されている。
【００７１】
上記第３レンズ群Ｇ３は、拡大側より順に、両凸レンズよりなる第１０レンズＬ１０と、縮小側に凹面を向けた負のメニスカスレンズよりなる第１１レンズＬ１１と、両凸レンズよりなる第１２レンズＬ１２と、両凹レンズよりなる第１３レンズＬ１３と、両凸レンズよりなる第１４レンズＬ１４と、両凸レンズよりなる第１５レンズＬ１５と、縮小側に凹面を向けた正のメニスカスレンズよりなる第１６レンズＬ１６と、から構成されている。また、この第３レンズ群Ｇ３の最も拡大側にマスク２ａおよび絞り２ｂが配設されており（実施例２、３において同じ）、上記第３レンズ群Ｇ３の最も拡大側位置よりも、ある程度縮小側に離れた位置に絞り２ｂを置くことにより、よりテレセントリック性を高めることができる。
なお、各レンズ面は全て球面とされているので、コスト的に有利である。
【００７２】
実施例１に係る投写用広角レンズの各レンズ面の曲率半径Ｒ（ｍｍ）、各レンズの中心厚および各レンズ間の空気間隔（以下「軸上面間隔」と称す）Ｄ（ｍｍ）、各レンズのｅ線における屈折率Ｎｅおよびアッベ数νｅの値を、表１の上段に示す（表１に示されるデータは実寸である。以下の実施例についても同じ）。なお、最上段には、全系の焦点距離、画角、およびＦｎｏ．を示す。
【００７３】
【表１】
0005554093.tif 000002
【００７４】
また、実施例１に係る投写用広角レンズは、表５に示すように、条件式（１）〜（７）、（１´）〜（７´）および（１´´）〜（５´´）が全て満足されている。
【００７５】
また、表１に示されるように、画角２ωは７３．３度、Ｆｎｏ．は２．７と広角で明るいレンズとされている。
また、実施例１に係る投写用広角レンズの全長は３０１．０ｍｍとされており、全長の短いレンズとされている。
【００７６】
＜実施例２＞
図３（レンズ構成図）および図４（光線軌跡図）に示すように、実施例２に係る投写用広角レンズは、実施例１に係る投写用広角レンズと略同様の構成とされているが、第１レンズ群Ｇ１が、４枚のレンズにより構成され、それにより第２レンズ群Ｇ２および第３レンズ群Ｇ３を構成する各レンズのレンズ番号が１つずつ繰り上がっている点において相違している。すなわち、第１レンズ群Ｇ１は、拡大側より順に、縮小側に凹面を向けた正のメニスカスレンズよりなる第１レンズＬ１と、縮小側に凹面を向けた負のメニスカスレンズよりなる第２レンズＬ２および第３レンズＬ３と、両凹レンズよりなる第４レンズＬ４との４枚のレンズから構成されている点において相違している。
【００７７】
また、第２Ｂレンズ群Ｇ２Ｂを構成する２枚のレンズのうち、縮小側のレンズ（第８レンズＬ８）が両凹レンズとされている点においても相違している。
【００７８】
実施例２に係る投写用広角レンズの各レンズ面の曲率半径Ｒ（ｍｍ）、軸上面間隔Ｄ（ｍｍ）、各レンズのｅ線における屈折率Ｎｅおよびアッベ数νｅの値を、表２の上段に示す。なお、最上段には、全系の焦点距離、画角、およびＦｎｏ．を示す。
【００７９】
【表２】
0005554093.tif 000003
【００８０】
また、実施例２に係る投写用広角レンズは、表５に示すように、条件式（１）〜（７）、（１´）〜（７´）および（１´´）〜（５´´）が全て満足されている。
【００８１】
また、表２に示されるように、画角２ωは７３．３度、Ｆｎｏ．は２．７と広角で明るいレンズとされている。
また、実施例２に係る投写用広角レンズの全長は２９６．８ｍｍとされており、全長の短いレンズとされている。
【００８２】
＜実施例３＞
図５（レンズ構成図）および図６（光線軌跡図）に示すように、実施例３に係る投写用広角レンズは、実施例２に係る投写用広角レンズと略同様の構成とされているが、第３レンズ群Ｇ３が、両凸レンズからなる第９レンズＬ９と、縮小側に凹面を向けた負のメニスカスレンズからなる第１０レンズＬ１０と、両凸レンズからなる第１１レンズＬ１１と、両凹レンズからなる第１２レンズＬ１２と、両凸レンズからなる第１３レンズＬ１３と、両凸レンズからなる第１４レンズＬ１４と、縮小側に凹面を向けた負のメニスカスレンズからなる第１５レンズＬ１５とからなり、第１１レンズＬ１１、第１２レンズＬ１２および第１３レンズＬ１３が３枚接合レンズを構成している点において、また第２Ｂレンズ群Ｇ２Ｂが負の屈折力を有する点において相違している。
【００８３】
実施例３に係る投写用広角レンズの各レンズ面の曲率半径Ｒ（ｍｍ）、軸上面間隔Ｄ（ｍｍ）、各レンズのｅ線における屈折率Ｎｅおよびアッベ数νｅの値を、表３の上段に示す。なお、最上段には、全系の焦点距離、画角、およびＦｎｏ．を示す。
【００８４】
【表３】
0005554093.tif 000004
【００８５】
また、実施例３に係る投写用広角レンズは、表５に示すように、条件式（１）〜（７）、（１´）〜（７´）および（１´´）〜（５´´）が全て満足されている。
【００８６】
また、表３に示されるように、画角２ωは７３．２度、Ｆｎｏ．は２．７と広角で明るいレンズとされている。
また、実施例３に係る投写用広角レンズの全長は２８６．３ｍｍとされており、全長の短いレンズとされている。
【００８７】
＜実施例４＞
図７（レンズ構成図）および図８（光線軌跡図）に示すように、実施例４に係る投写用広角レンズは、実施例１に係る投写用広角レンズと基本的な構成は類似しているが、具体的には、各レンズ群は以下に示すように構成されている。
【００８８】
すなわち、実施例４に係る投写用広角レンズは、上記実施例１〜３と同様に、拡大側から順に、負の屈折力を有する第１レンズ群Ｇ１と、正の屈折力を有する第２レンズ群Ｇ２と、正の屈折力を有する第３レンズ群Ｇ３とから構成されており、縮小側がテレセントリックとされており、第３レンズ群Ｇ３の縮小側には、反射型液晶表示素子等からなるライトバルブの画像表示面（または中間結像面）１が配置されている。なお、第２レンズ群Ｇ２は、拡大側から順に、全体として負の屈折力の第２Ａレンズ群Ｇ２Ａと、全体として正の屈折力の第２Ｂレンズ群Ｇ２Ｂとにより構成されている。
【００８９】
上記第１レンズ群Ｇ１は、拡大側より順に、縮小側に凹面を向けた負のメニスカスレンズよりなる第１レンズＬ１と、拡大側に凸面を向けた正のメニスカスレンズよりなる第２レンズＬ２と、縮小側に凹面を向けた負のメニスカスレンズよりなる第３レンズＬ３および第４レンズＬ４と、両凹レンズよりなる第５レンズＬ５とから構成されている。
【００９０】
上記第２レンズ群Ｇ２は、拡大側より順に、両凸レンズよりなる第６レンズＬ６および両凹レンズよりなる第７レンズＬ７が互いに接合された第１接合レンズと、縮小側に凹面を向けた負のメニスカスレンズよりなる第８レンズＬ８と、両凸レンズよりなる第９レンズＬ９が互いに接合された第２接合レンズとから構成されている。第２Ａレンズ群Ｇ２Ａは、上記第１接合レンズからなり、第２Ｂレンズ群Ｇ２Ｂは上記第２接合レンズからなる。
【００９１】
上記第３レンズ群Ｇ３は、拡大側より順に、縮小側に凹面を向けた負のメニスカスレンズよりなる第１０レンズＬ１０と、両凸レンズよりなる第１１レンズＬ１１と、縮小側に凹面を向けた負のメニスカスレンズよりなる第１２レンズＬ１２と、両凸レンズよりなる第１３レンズＬ１３と、両凹レンズよりなる第１４レンズＬ１４と、両凸レンズよりなる第１５レンズＬ１５と、両凸レンズよりなる第１６レンズＬ１６とから構成されており、第１２レンズＬ１２と第１３レンズＬ１３、および第１４レンズＬ１４と第１５レンズＬ１５、は各々互いに接合されて２組の２枚接合レンズを構成している。なお、この第３レンズ群Ｇ３の最も拡大側から１枚目と２枚目のレンズの間に、拡大側から順に、マスク２ａ、絞り２ｂおよびマスク２ｃが配設されている。上記第３レンズ群Ｇ３の最も拡大側位置よりも、ある程度縮小側に離れた、このような位置に絞り２ｂを置くことにより、よりテレセントリック性を高めることができる。
【００９２】
実施例４に係る投写用広角レンズの各レンズ面の曲率半径Ｒ（ｍｍ）、軸上面間隔Ｄ（ｍｍ）、各レンズのｅ線における屈折率Ｎｅおよびアッベ数νｅの値を、表４の上段に示す。なお、最上段には、全系の焦点距離、画角、およびＦｎｏ．を示す。
【００９３】
【表４】
0005554093.tif 000005
【００９４】
また、実施例４に係る投写用広角レンズは、表５に示すように、条件式（１）〜（７）、（１´）〜（７´）および（１´´）〜（５´´）が全て満足されている。
【００９５】
また、表４に示されるように、画角２ωは７２．６度、Ｆｎｏ．は２．７と広角で明るいレンズとされている。
また、実施例４に係る投写用広角レンズの全長は２８７．７ｍｍとされており、全長の短いレンズとされている。
【００９６】
また、図９〜１２は、実施例１〜４に係る投写用広角レンズの諸収差（球面収差、非点収差、ディストーション、および倍率色収差）を示す収差図（投影距離1.17m（実施例４では1.12m）における収差図（球面収差（A‐ｉ）、非点収差（A‐ｉｉ）、ディストーション（A‐ｉｉｉ）および倍率色収差（A‐ｉｖ））、投影距離2.34m（実施例４では2.35m）における収差図（球面収差（B‐ｉ）、非点収差（B‐ｉｉ）、ディストーション（B‐ｉｉｉ）および倍率色収差（B‐ｉｖ））、投影距離11.7m（実施例４では12.2m）における収差図（球面収差（C‐ｉ）、非点収差（C‐ｉｉ）、ディストーション（C‐ｉｉｉ）および倍率色収差（C‐ｉｖ）））である。これらの収差図において、ωは半画角を示し、球面収差の収差図にはＧ（緑）、Ｂ（青）およびＲ（赤）の各波長に対する収差曲線を示し、倍率色収差の収差図にはＧに対するＢおよびＲの収差曲線を示している。図９〜１２に示すように、実施例１〜４に係る投写用広角レンズは、球面収差、ディストーション、さらには倍率色収差をはじめとする各収差が良好に補正されている。
【００９７】
【表５】
0005554093.tif 000006
【００９８】
なお、本発明の投写用広角レンズとしては、上記実施例のものに限られるものではなく種々の態様の変更が可能であり、例えば各レンズの曲率半径Ｒおよび軸上面間隔Ｄを適宜変更することが可能である。
【００９９】
また、本発明の投写型表示装置としても、上記構成のものに限られるものではなく、本発明の投写用広角レンズを備えた種々の装置構成が可能である。
【０１００】
以上、本実施形態においては、明るさがＦ２．７以上で画角が７０度を超えるテレセントリックで明るい広角レンズを非球面を採用せずに得ることができ、しかも近距離から遠距離の全範囲に亘り光学性能を落とさずにフォーカシングすることができる。
【０１０１】
また、本実施形態によれば、OTFが８０ lp/mmの空間周波数に対して７０％以上の高解像のレンズを絞り位置固定型で達成することが可能である。
【符号の説明】
【０１０２】
１        画像表示面（中間結像面）
１Ａ      中間結像面
２ａ〜２ｃ        絞り（マスク）
１０、１０Ａ        照明光学系
１１ａ〜１１ｃ        反射型液晶表示パネル
１２，１３        ダイクロイックミラー
１４        クロスダイクロイックプリズム
１５ａ〜１５ｃ        偏光分離プリズム
１８        全反射ミラー
１９        リレーレンズ
２０        投写用広角レンズ
２１Ｇ、Ｂ、Ｒ        ＤＭＤ
２４        色分解／合成プリズム
２５        全反射プリズム
Ｇ１〜Ｇ３    レンズ群
Ｌ１〜Ｌ１６    レンズ
Ｒ１〜Ｒ３２    レンズ面等の曲率半径
Ｄ１〜Ｄ３１    軸上面間隔
【図１】
0005554093.tif 000007
【図２】
0005554093.tif 000008
【図３】
0005554093.tif 000009
【図４】
0005554093.tif 000010
【図５】
0005554093.tif 000011
【図６】
0005554093.tif 000012
【図７】
0005554093.tif 000013
【図８】
0005554093.tif 000014
【図９】
0005554093.tif 000015
【図１０】
0005554093.tif 000016
【図１１】
0005554093.tif 000017
【図１２】
0005554093.tif 000018
【図１３】
0005554093.tif 000019
【図１４】
0005554093.tif 000020
【図１５】
0005554093.tif 000021